(57)【要約】      （修正有）【課題】事業者が使用済み二輪車などの産業廃棄物をリサイクル処理する場合に、その運搬の依頼から再資源化施設までの運搬の工程を管理する伝票を、利用し管理し易いシンプルな構成なものを提供する。【解決手段】表面に排出者情報記録部、運搬受託者情報記録部及び処分受託者情報記録部の各部が配された３枚の帳票を互いに重ね合わせ且つ各々の一端で分離可能に綴じ合わせてなる伝票であって、上位と中位の帳票の裏面にそれぞれ複写材を設けて前記各記録部に所定の情報を複写記入されるように設けるとともに、下位の帳票の裏面に排出者と運搬受託者との間の約款記載欄を一体に設け、各々上位の帳票を運搬受託者管理用、中位の帳票を排出者照合用、下位の帳票を排出者管理用として伝票を構成する。【選択図】図２
2006043948.tif 000002
【特許請求の範囲】
【請求項１】
表面に排出者情報記録部、運搬受託者情報記録部及び処分受託者情報記録部の各部が配された３枚の帳票を互いに重ね合わせ且つ各々の一端で分離可能に綴じ合わせてなる伝票であって、
上位と中位の帳票の裏面にそれぞれ複写材を設けて前記各記録部に所定の情報を複写記入されるように設けるとともに、下位の帳票の裏面に排出者と運搬受託者との間の約款記載欄を一体に設け、
各々上位の帳票を運搬受託者管理用、中位の帳票を排出者照合用、下位の帳票を排出者管理用として構成されていることを特徴とするリサイクル処理の管理用伝票。
【発明の詳細な説明】
【技術分野】
【０００１】
本発明は、使用済み二輪車などの廃棄物の運搬の依頼から再資源化施設までの運搬の工程を管理するのに利用される伝票に関する。
【背景技術】
【０００２】
使用済みの家電製品や自動車、二輪車などの廃棄処理は、排出者が廃棄物の処理を委託する際に、受託者に対して廃棄物管理票（マニフェスト）を交付し、処理終了後に受託者からその旨を記載したマニフェストの写しの送付を受けることにより、委託契約どおりに廃棄物が処理されたことを確認するマニフェストシステムにより行われる。
マニフェストを利用した廃棄物処理システムとしては、例えば使用済みの家電製品を廃棄する際に、廃棄物のマニフェスト番号、製品名、メーカ名、型式などを記載した管理用伝票（マニフェスト伝票）を、廃棄物とともに、お客（排出者）から収集運搬担当者（運搬受託者）、指定引取場所（処分受託者）へと送付し、それぞれで廃棄物の情報を管理するようにしたシステムなどが知られている（例えば特許文献１参照）。
【０００３】
【特許文献１】特開２００３−２４３８号公報
【発明の開示】
【発明が解決しようとする課題】
【０００４】
従来の廃棄物処理システムで利用されていた管理用伝票は、少なくとも、廃棄物が排出者から運搬受託者、運搬受託者から処分受託者へと廃棄物が受け渡される過程で受け渡しの確認用として排出者、運搬受託者及び処分受託者がそれぞれ保管する帳票と、廃棄物が処分されたことの確認用として処分受託者から運搬受託者及び排出者へとそれぞれ回付される帳票と、さらに排出者から運搬受託者が廃棄物の運搬を受託する約款記載書面及び処分受託者が廃棄物の処理を受託する約款記載書面との、６〜８枚もの帳票を一体に綴じ合わせて構成されていた。管理用伝票は一つの廃棄物毎に割り当てて処理されるため、排出者が一度に複数の廃棄物を処理する場合にあっては、管理する帳票が多数枚に渡り、その管理と廃棄物が適正に処理されたか否かの確認が煩雑なものとなっていた。
【０００５】
一方、一般廃棄物として処理される個人ユーザの廃棄物と、産業廃棄物として処理される事業者の廃棄物では、廃棄物が処理される工程で管理用伝票の処理の仕方が異なり、個人ユーザと事業者とで同じ構成の管理用伝票を利用しなければならない必然性はない。例えば二輪車のように事業者よりも個人ユーザの利用数が圧倒的に多い場合、個人ユーザ用と事業者用で別個の管理用伝票を使用した方が、伝票の構成がシンプルとなり、伝票の管理処理も単純化して、適正な運用が図られることが予想される。また、廃棄物を引き取る指定引取場所から最終処分場である再資源化施設までが広域認定範囲となり、排出事業者には、廃棄物が処分受託者に確実に引き取られたことを確認する義務が課せられるようになったことから、処分受託者が廃棄物を引き取ったことの確認帳票が排出事業者に回付されるように処理されれば、排出事業者は義務の履行が可能となる。
【０００６】
本発明は従来技術の有するこのような問題点に鑑み、事業者が使用済み二輪車などの産業廃棄物をリサイクル処理する場合に、その運搬の依頼から再資源化施設までの運搬の工程を管理する伝票を利用し管理し易いシンプルな構成のものとし、リサイクル処理の適正な運用を図るようにすることを課題とする。
【課題を解決するための手段】
【０００７】
前記課題を解決するため本発明のリサイクル処理の管理用伝票は、表面に排出者情報記録部、運搬受託者情報記録部及び処分受託者情報記録部の各部が配された３枚の帳票を互いに重ね合わせ且つ各々の一端で分離可能に綴じ合わせてなる伝票であって、上位と中位の帳票の裏面にそれぞれ複写材を設けて前記各記録部に所定の情報を複写記入されるように設けるとともに、下位の帳票の裏面に排出者と運搬受託者との間の約款記載欄を一体に設け、各々上位の帳票を運搬受託者管理用、中位の帳票を排出者照合用、下位の帳票を排出者管理用として構成されていることを特徴とする。
【０００８】
本発明の管理用伝票は、排出者が運搬受託者に廃棄物を処分受託者まで運搬を委託する場合に用いられ、運搬の依頼から処分受託者への引渡しまでの情報の管理に利用される。従来の如く多数枚綴りの伝票と異なり、本発明の伝票は、分離可能な３枚の帳票により構成され、運搬の委託に必要な情報のみが記入されるようになっているので、その利用及び管理が極めて容易であり、しかも運搬工程を経てリサイクル処理に必要な情報が記入されるようになっているので、リサイクル処理に関する情報の適正な管理が可能である。
【発明を実施するための最良の形態】
【０００９】
本発明の好適な一実施形態を図面を参照して説明する。
図示した形態は、本発明の管理用伝票を使用して、事業者が使用済みの二輪車を廃棄しリサイクル処理する形態を示している。
【００１０】
図１は、リサイクル処理される二輪車の処理の工程を示している。図示されるように、事業者１から排出される廃棄二輪車は、二輪車の販売店２へと持ち込まれ、販売店２は持ち込まれた廃棄二輪車を一時的に保管した後、事業者１に代わって指定引取場所３まで移送する。販売店２から指定引取場所３に引き渡された廃棄二輪車は、収集運搬業者４によって中間処理業者５まで持ち運ばれ、中間処理業者５においてパーツ毎に解体するなどの処理がなされ、さらに最終処分場６において再資源化処理がなされるようになっている。上記指定引取場所３、収集運搬業者４、中間処理業者５及び最終処分場６は、広域認定業者が設ける、処分受託者である広域認定範囲７となっている。
【００１１】
本発明の管理用伝票は、排出事業者１が販売店２に対して指定引取場所３まで廃棄二輪車の運搬を委託する際に使用されるものであり、運搬の依頼から処分受託者への引渡しまでの情報管理に供せられるようにしたものである。なお、排出事業者１が廃棄二輪車を指定引取場所３に自ら持ち込む場合は、販売店２への運搬委託は不要であり、本発明の管理用伝票は用いられない。
【００１２】
図２〜図５は本発明の管理用伝票を構成する各帳票の構成を示している。この管理用伝票１０は、図２に示すＢ１票と、図３に示すＢ２票と、図４に示すＡ票との３枚の帳票を、上位からＢ１票、Ｂ２票、Ａ票の順に互い重ね合わせるとともに、各々一端で接着剤により綴じ合わせ、且つミシン目１１で分離可能に形成してある。
【００１３】
各票の表面には、排出者事業者１の名称、住所、担当者を記録する排出者情報記録部１２、販売店２の名称、住所を記録する運搬受託者情報記録部１３、指定引取場所３の名称、住所を記録する処分受託者情報記録部１４、伝票の交付年月日記録部１５、二輪車リサイクル管理票番号記録部１６、運賃委託料金記録部１７の各記録部が配されており、また、Ｂ１票とＢ２票の裏面にはカーボン紙などの複写材を重合一体化させてあり、Ｂ１票表面の各記録部に記入した情報が、その下位のＢ２票及びＡ票に複写転記されるように設けてある。
ここで、二輪車リサイクル管理票番号記録部１６は、廃棄二輪車の車台番号と関連付けてリサイクル処理の工程を管理するために使用される管理票の管理番号を記入する欄であり、また、運賃委託料金記録部１７は、販売店２が廃棄二輪車の運搬を受託する際に、排出事業者１に対して請求される運搬委託費用の金額を記入する欄である。運搬委託費用が所定額以上の場合、Ａ票には収入印紙が貼られる。
【００１４】
また、Ｂ１票とＢ２票には運搬終了年月日記録部１８、Ｂ２票とＡ票には照合確認日記録部１９が設けられ、それぞれ上位の記録部に記入した情報が下位の帳票の同記録部内に複写転記されるようになっている。Ｂ１票、Ｂ２票には、廃棄二輪車を指定引取場所の窓口に引渡したことの証明となる指定引取場所受領印の捺印欄が設けてある。
【００１５】
さらに、Ａ票の裏面には、図５に示されるように、排出事業者１が、販売店２に廃棄二輪車の運搬を委託する約款記載欄２０が一体に設けてある。同欄に記載された契約条項に基づき、排出事業者１は廃棄二輪車の運搬を販売店２に委託し、販売店２はこれを受託することとなる。
【００１６】
次に、このように構成された管理用伝票１０の処理の流れを図５を用いて説明する。
管理用伝票１０は予め廃棄二輪車取扱店事務センター（図示せず）から各販売店３へと発送され、販売店２は、排出事業者１が廃棄二輪車の運搬を依頼する際に、排出事業者１に管理用伝票１０を配布する（図中、矢符１）。この際、販売店２は、廃棄二輪車の運搬委託費用を排出事業者１から徴収し、この金額は排出事業者１により、伝票の運賃委託料金記録部１７に記入される。
伝票の配布を受けた排出事業者１は、管理用伝票１０の各記録部の必要事項を記入して伝票の発行処理を行ない、販売店３に交付する（同矢符２）。販売店３は、発行された伝票の交付を受けて廃棄二輪車の運搬を受託し、管理用伝票１０からＡ票を分離して、これを受託控えとして排出事業者１に引き渡す。同時に販売店２は、排出事業者１から持ち込まれた廃棄二輪車を受け取り、保管する。
販売店２は、その後、Ｂ１票及びＢ２票を残した管理用伝票１０とともに廃棄二輪車を指定引取場所３へと持ち込み（同矢符３）、指定引取場所の窓口で受領確認を受けるとともに、廃棄二輪車が販売店２から指定引取場所３に引き渡された証明として管理用伝票１０のＢ１票とＢ２票に受領印を受ける（同４受領印押印）。また、両票の運搬終了年月日記録部１８には、廃棄二輪車が指定引取場所３に引き渡された日付けが記入される。
廃棄二輪車の引渡しが完了した後、販売店２は管理用伝票１０を持ち帰り（同矢符５）、Ｂ１票を受託完了証明として自ら保管し、さらに、運搬終了後の所定の期間内に、Ｂ２票を排出事業者１へと回付する（同矢符６）。
販売店２からＢ２票の回付を受けた排出事業者１は、Ｂ２票とＡ票を照合確認して、両票の照合確認日記録部１９に確認日を記入し、両票を保管する。
【００１７】
このように、管理用伝票１０は、排出事業者１が販売店２に対して、廃棄二輪車の指定引取場所３までの運搬を委託する場合に用いられ、運搬の依頼から指定引取場所３への引渡しまでの情報を有効に管理できるようになっている。
Ｂ１、Ｂ２及びＡの各帳票は、排出事業者１、販売店２及び指定引取場所３の窓口において、それぞれリサイクル処理に関する情報が記入され、指定引取場所３に廃棄二輪車が引き渡された後は、Ｂ１票は販売店２で控えとして保管され、Ｂ２票とＡ票は排出事業者１で記載情報を照合し、保管され、販売店２においては受託業務の終了の証明、排出事業者１においては廃棄物が適正に処理されたことの確認・証明が担保されるようになっている。排出事業者１は、Ｂ２票とＡ票の記載情報を確認し照合することで、産業廃棄物の処理にあたっての義務の履行が可能となる。
【００１８】
なお、図示した伝票の形態は一例であり、本発明の伝票は他の適宜な形態に構成可能なものである。
【図面の簡単な説明】
【００１９】
【図１】リサイクル処理される二輪車の処理の工程を示す図である。
【図２】本発明の一実施形態の伝票の上位の帳票の表面図である。
【図３】本発明の一実施形態の伝票の中位の帳票の表面図である。
【図４】本発明の一実施形態の伝票の下位の帳票の表面図である。
【図５】図４の帳票の裏面図である。
【図６】本発明の管理用伝票の処理の流れを示した図である。
【符号の説明】
【００２０】
１  排出事業者、２  販売店、３  指定引取場所、１０  管理用伝票
【図１】
2006043948.tif 000003
【図６】
2006043948.tif 000004
【図２】
2006043948.tif 000005
【図３】
2006043948.tif 000006
【図４】
2006043948.tif 000007
【図５】
2006043948.tif 000008